(57)【特許請求の範囲】
【請求項１】
追記録型の記録媒体から当該記録媒体の製作時に付されたシリアル番号を読み出すシリアル番号読出手段と、
上記記録媒体に記録されているデータに対して当該記録されているデータの特徴量を表す固有データを生成する固有データ生成手段と、
上記シリアル番号と上記固有データとを演算処理し、抽選番号となる演算データを生成する演算データ生成手段と、
上記演算データを上記記録媒体に追記録する記録手段と
を備えることを特徴とする記録装置。
【請求項２】
上記固有データ生成手段は、上記記録媒体に記録されているデータの特徴量として当該記録されているデータのデータビット量に基づき上記固有データを生成すること
を特徴とする請求項１記載の記録装置。
【請求項３】
上記固有データ生成手段は、上記記録媒体に記録されているデータの特徴量として当該記録されているデータの終了フレームの値に基づき上記固有データを生成すること
を特徴とする請求項１記載の記録装置。
【請求項４】
上記演算データ生成手段は、上記シリアル番号と上記固有データとを四則混合計算に基づき上記演算データを生成すること
を特徴とする請求項１記載の記録装置。
【請求項５】
上記演算データ生成手段は、上記シリアル番号と上記固有データとを所定の方程式に基づき上記演算データを生成すること
を特徴とする請求項１記載の記録装置。
【請求項６】
追記録型の記録媒体に記録されているデータに対して当該記録されているデータの特徴量を表す固有データと当該記録媒体の製作時に付されたシリアル番号とを演算処理して求められた所定のデータが追記録された記録媒体から、当該所定のデータを抽選番号として読み出す抽選番号読出手段と、
当選番号を生成する当選番号生成手段と、
上記抽選番号と上記当選番号とを比較し、当落を判定する当落判定手段と、
上記当落判定手段により当落の判定を行った際に、当落の判定が済んだことを示すデータを生成する判定済みデータ生成手段と、
上記判定済みデータを上記記録媒体に追記録する記録手段とを備えること
を特徴とする当落判定装置。
【請求項７】
追記録型の記録媒体から当該記録媒体の製作時に付されたシリアル番号を読み出すシリアル番号読出手段と、上記記録媒体に記録されているデータに対して当該記録されているデータの特徴量を表す固有データを生成する固有データ生成手段と、上記シリアル番号と上記固有データとを演算処理し、抽選番号となる演算データを生成する演算データ生成手段と、上記演算データを上記記録媒体に追記録する第１の記録手段とを備える記録装置と、
上記第１の記録手段により上記記録媒体に追記録された上記演算データを、上記抽選番号として読み出す抽選番号読出手段と、当選番号を生成する当選番号生成手段と、上記抽選番号と上記当選番号とを比較し、当落を判定する当落判定手段と、上記当落判定手段により当落の判定を行った際に、当落の判定が済んだことを示すデータを生成する判定済みデータ生成手段と、上記判定済みデータを上記記録媒体に追記録する第２の記録手段とを備える当落判定装置とを備えること
を特徴とする当落判定システム。
【請求項８】
上記記録装置と上記当落判定装置とは、ネットワークを介して接続されており、
上記抽選番号読出手段は、上記ネットワークを介して上記記録媒体から上記演算データを読み出し、
上記第２の記録手段は、上記ネットワークを介して上記記録媒体に上記判定済みデータを追記録すること
を特徴とする請求項７記載の当落判定システム。
【発明の詳細な説明】
【０００１】
【発明の属する技術分野】
追記録型の記録媒体のシリアル番号及び記録されているデータの特徴量に基づき算出したデータを当該記録媒体に記録する記録装置と、当落判定を行う当落判定装置と、上記記録装置により算出したデータに基づき上記当落判定装置により当落を判定する当落判定システムに関する。
【０００２】
【従来の技術】
不特定多数を対象とした懸賞では、応募者は、クイズ等の答えを記載した葉書等を郵送し応募する。そして、所定の期間経過後に応募を締め切り、クイズ等の答え合わせをし、抽選を行っている。
【０００３】
また、特開平２−８１１６８号公報に記載のように、抽選券の当落を自動的に判別し、その判別結果を抽選券ごとに表示する抽選券判別装置がある。以下に、抽選券判別装置の概略を説明する。
【０００４】
抽選券購入者は、抽選券判別装置のある窓口に行き、抽選券をオペレータに手渡す。オペレータは、手渡された抽選券を抽選券判別装置に投入する。抽選券判別装置は、投入された抽選券を１枚ずつ取り出して、記憶している当選番号との比較による判別を行う。抽選券判別装置は、判別の結果、当たりの場合には当選金額等の表示を行うとともに、当選番号に対応する当選番号データ中に含まれる処理制御信号に基づき、表示後の動作を制御している。この制御は、当選金額の表示を抽選券判別装置のオペレータ及び抽選券購入者が、結果を確実に認識できるようにするためのものである。
【０００５】
また、当たりの場合には、抽選券判別装置のオペレータ及び抽選券購入者に確認させるために、当選金額等の表示を当選金額に応じて一定時間継続して表示する。
【０００６】
【発明が解決しようとする課題】
しかしながら、従来の懸賞では、抽選券購入者は、主催者側により決定された抽選番号に基づき懸賞に参加するため、積極的な参加という意味合いが薄かった。
【０００７】
また、主催者側は、一度使用した抽選番号の不正使用を防止するために、抽選を行った抽選券を回収し、廃棄処理等の手間がかかっていた。
【０００８】
さらに、応募者が葉書等を利用して懸賞に応募した場合、当選しているか落選しているかは、所定の期間経過後でなければ知ることができない不都合がある。
【０００９】
また、応募者は、主催者側が予め設定した期間中に抽選に参加する必要があり、この抽選期間を見過ごしてしまう場合がある。
【００１０】
そこで、本発明は、上述したような実情に鑑みて提案されたものであり、抽選番号の作成に応募者がかかわることができ、かつ、応募者は、いつでも抽選に参加することができる記録装置、当落判定装置及び当落判定システムを提供することを目的とする。
【００１１】
【課題を解決するための手段】
本発明に係る記録装置は、上述の課題を解決するために、追記録型の記録媒体から当該記録媒体の製作時に付されたシリアル番号を読み出すシリアル番号読出手段と、上記記録媒体に記録されているデータに対して当該記録されているデータの特徴量を表す固有データを生成する固有データ生成手段と、上記シリアル番号と上記固有データとを演算処理し、抽選番号となる演算データを生成する演算データ生成手段と、上記演算データを上記記録媒体に追記録する記録手段とを備える。
【００１２】
このような記録装置は、追記型の記録媒体のシリアル番号と、上記記録媒体に記録されているデータに基づき生成した固有データとを演算により算出した演算データを上記記録媒体に記録する。
【００１３】
本発明に係る当落判定装置は、上述の課題を解決するために、記録媒体に記録されているデータに対して当該記録されているデータの特徴量を表す固有データと当該記録媒体の製作時に付されたシリアル番号とを演算処理して求められた所定のデータが追記録された記録媒体から、当該所定のデータを抽選番号として読み出す抽選番号読出手段と、当選番号を生成する当選番号生成手段と、上記抽選番号と上記当選番号とを比較し、当落を判定する当落判定手段と、上記当落判定手段により当落の判定を行った際に、当落の判定が済んだことを示すデータを生成する判定済みデータ生成手段と、上記判定済みデータを上記記録媒体に追記録する記録手段とを備える。
【００１４】
このような当落判定装置は、記録媒体から読み出した所定のデータを抽選番号とし、上記抽選番号と当選番号生成手段で生成した当選番号とを、当落判定手段で当落判定を行い、判定済みデータ生成手段で当落の判定が済んだことを示す判定済みデータを生成し、記録手段で上記判定済みデータを記録媒体に追記録する。
【００１５】
また、本発明に係る当落判定システムは、上述の課題を解決するために、追記録型の記録媒体から当該記録媒体の製作時に付されたシリアル番号を読み出すシリアル番号読出手段と、上記記録媒体に記録されているデータに対して当該記録されているデータの特徴量を表す固有データを生成する固有データ生成手段と、上記シリアル番号と上記固有データとを演算処理し、抽選番号となる演算データを生成する演算データ生成手段と、上記演算データを上記記録媒体に追記録する第１の記録手段とを備える記録装置と、上記第１の記録手段により上記記録媒体に追記録された演算データを、抽選番号として読み出す抽選番号読出手段と、当選番号を生成する当選番号生成手段と、上記抽選番号と上記当選番号とを比較し、当落を判定する当落判定手段と、上記当落判定手段により当落の判定を行った際に、当落の判定が済んだことを示すデータを生成する判定済みデータ生成手段と、上記判定済みデータを上記記録媒体に追記録する第２の記録手段と備える当落判定装置とを備える。
【００１６】
このような当落判定システムは、記録装置により、追記型の記録媒体のシリアル番号と、上記記録媒体に記録されているデータに基づき生成した固有データとを演算により算出した演算データを上記記録媒体に記録し、当落判定装置により、上記記録媒体に記録されている上記演算データを抽選番号とし、上記抽選番号と当選番号生成手段で生成した当選番号とを、当落判定手段で当落判定を行い、判定済みデータ生成手段で当落の判定が済んだことを示す判定済みデータを生成し、記録手段で上記判定済みデータを上記記録媒体に追記録する。
【００１７】
【発明の実施の形態】
以下、本発明の実施の形態について図面を参照しながら詳細に説明する。
【００１８】
本発明は、例えば図１に示すような当落判定システム１に適用される。当落判定システム１は、ユーザ側の記録装置２と、ネットワークを介して接続されている主催者側の当落判定装置３とから構成されており、記録装置２に挿入されている記録媒体４を利用して、当落判定装置３により抽選を行い、当落を判定するシステムである。
【００１９】
ここで、記録装置２の構成と動作について説明する。記録装置２は、シリアル番号読出部１０と、固有データ生成部１１と、演算部１２と、演算データ記録部１３とを備えている。シリアル番号読出部１０は、記録媒体４から当該記録媒体４の制作時に工場で付されたシリアル番号を読み出し、演算部１２に出力する。固有データ生成部１１は、記録媒体４に保存されているデータに基づき、固有のデータを生成する。ここで、固有データ生成部１１の動作について説明する。
【００２０】
固有データ生成部１１は、ユーザにより記録媒体４に記録されたデータの特徴量に基づき固有データを生成する。なお、固有データ生成部１１は、記録媒体４に記録されているデータ容量や、未記録のデータ容量や、記録媒体４に記録されているデータの終了フレームの値や、当該記録媒体４に形成されている記録マークの総数や、これらを混合した値をデータの特徴量として用いて、固有データを生成している。
【００２１】
演算部１２は、シリアル番号読出部１０から入力されたシリアル番号と、固有データ生成部１１から入力された固有データとを演算処理することにより演算データを生成し、上記演算データを演算データ記録部１３に出力する。なお、演算部１２は、所定の四則混合計算又は所定の方程式等により演算データを算出する。演算データ記録部１３は、入力された演算データを記録媒体４に記録する。
【００２２】
記録媒体４は、例えば、ＣＤ−Ｒ等の追記録型の媒体である。したがって、演算データ記録部１３で記録した演算データは書き換え及び消去が不可能なデータである。
【００２３】
なお、記録装置２は、更に、音楽データや映像データ等を記録し、再生する記録再生部とネットワークに接続するためのインターフェース部を有している。
【００２４】
ここで、当落判定装置３の構成と動作について説明する。当落判定装置３は、演算データ読出部１４と、当選番号生成部１５と、判定部１６と、判定結果通知部１７と、判定済みデータ生成部１８と、判定済みデータ記録部１９とを備えている。演算データ読出部１４は、ネットワークを介して記録装置２に設置されている記録媒体４から演算データを読み出し、読み出した演算データを抽選番号データとして判定部１６に出力する。当選番号生成部１５は、複数の当選番号データを所定の方法により生成し、判定部１６に出力する。
【００２５】
判定部１６は、演算データ読出部１４から入力された抽選番号データが、当選番号生成部１５から入力された当選番号データと一致するかどうかの判定を行う。判定部１６は、抽選番号データと当選番号データとが一致した場合、当選判定を行い、抽選番号データと当選番号データとが不一致だった場合、落選判定を行う。判定部１６は、当選判定又は落選判定を判定結果通知部１７に出力する。判定結果通知部１７は、入力された判定結果をユーザに通知する。なお、判定部１６は、抽選番号データと当選番号データとが完全一致した場合に１等とし、部分的に一致した場合を２等として、当選判定に順位をつけても良い。また、判定部１６は、上述の判定作業を行った旨を判定済みデータ生成部１８に通知する。
【００２６】
判定済みデータ生成部１８は、判定部１６から上記通知を受けた場合、当落の判定が済んだことを示すデータを生成し、生成した判定済みデータを判定済みデータ記録部１９に出力する。判定済みデータ記録部１９は、入力された判定済みデータをネットワークを介して、記録装置２に設置されている記録媒体４に記録する。なお、当落判定装置３は、判定済みデータ記録部１９により記録媒体４に当落済みデータを記録したことを確認した後に、判定結果通知部１７によりユーザに当選通知又は落選通知を行うこととする。
【００２７】
ここで、当落判定システムの当落判定の動作について、図２及び図３に示すフローチャートを用いて説明する。なお、ユーザ側の記録装置２の動作をステップＳＴ１〜ステップＳＴ４及びステップＳＴ１３に示し、主催者側の当落判定装置３の動作をステップＳＴ５〜ステップＳＴ１２に示す。なお、ユーザは、ブランク状態のＣＤ−Ｒを購入し、購入したＣＤ−Ｒを記録装置２に挿入してあることとする。
【００２８】
ステップＳＴ１において、記録装置２は、ユーザの操作に応じてＣＤ−Ｒに音楽データ等を記録する。
【００２９】
ステップＳＴ２において、記録装置２は、当落判定を行うかどうかを判断する。当落判定を行わない場合は、ステップＳＴ３に進み、当落判定を行う場合は、ステップＳＴ４に進む。ここで、当落判定を行うと判断した際の記録装置２の動作について説明する。
【００３０】
シリアル番号読出部１０は、例えば、記録媒体４からシリアル番号「１２３４５６」を読み出し、演算部１２に出力する。また、固有データ生成部１１は、例えば、記録媒体４から記録されているデータ容量が１００ＭＢだった場合、「１００」を固有データとして演算部１２に出力する。演算部１２は、例えば、シリアル番号１２３４５６をＡとし、固有データ「１００」をＢとして、以下の方程式より演算データＹを算出する。
Ｙ＝５×Ａ＋１０００×Ｂ
＝５×１２３４５６＋１０００×１００
＝７１７２８０
したがって、演算部１２は、「７１７２８０」を演算データとして演算データ記録部１３に出力する。演算データ記録部１３は、演算データ「７１７２８０」を記録媒体４に記録する。この演算データ「７１７２８０」が後述する当落判定装置で当落判定する際の抽選番号となる。したがって、ユーザが記録媒体４に記録したデータ量に応じて演算データの値が変わってくる。ユーザは、自分の判断で演算データを生成する時期を選ぶことができる。
【００３１】
ステップＳＴ３において、記録装置２は、データを追記録するかどうかを判断する。データを追記録する場合には、ステップＳＴ１に戻る。
【００３２】
ステップＳＴ４において、記録装置２は、当落判定をするために、ネットワークを介して当落判定装置３に接続する。
【００３３】
以下、ステップＳＴ５〜ステップＳＴ１２により、主催者側の当落判定装置３の動作を説明する。
【００３４】
ステップＳＴ５において、当落判定装置３は、判定済みデータの有無を確認する。
【００３５】
ステップＳＴ６において、当落判定装置３は、ステップＳＴ５の確認作業より、初めての判定作業かどうかを判断する。ステップＳＴ５〜ステップＳＴ６では、当落判定装置３により、ネットワークを介して接続されている記録装置２に挿入されているＣＤ−Ｒに、判定済みデータが記録されているかどうかを確認する。以前に当落判定装置３により当落判定を行っている場合には、当落判定はできない旨を記録装置２に通知する。また、以前に当落判定装置３により当落判定を行っていない場合には、ステップＳＴ７に進む。
【００３６】
ステップＳＴ７において、当落判定装置３は、演算データ読出部１４で記録装置２から演算データを読み出す。演算データ読出部１４は、記録媒体４からステップＳＴ２で生成した演算データ「７１７２８０」を抽選番号として読み出す。
【００３７】
ステップＳＴ８において、当落判定装置３は、図３に示すように、判定部１６により当落判定を行う。判定部１６は、演算データ読出部１４から入力された抽選番号「７１７２８０」が当選番号生成部１５で生成した当選番号と一致するかどうかを判定し、その判定結果を判定結果通知部１７に出力する。
【００３８】
ステップＳＴ９において、当落判定装置３は、判定結果に応じて判定結果通知部１７により当選メッセージ又は落選メッセージを生成する。
【００３９】
ステップＳＴ１０において、当落判定装置３は、判定結果の如何にかかわらず、判定済みデータ生成部１８で当落判定を行った旨を示す判定済みデータを生成する。
【００４０】
ステップＳＴ１１において、当落判定装置３は、判定済みデータ記録部１９によりステップＳＴ１０において生成した判定済みデータをネットワークを介して記録装置２に挿入されている記録媒体４に記録する。
【００４１】
ステップＳＴ１２において、当落判定装置３は、判定結果通知部１７によりステップＳＴ９において生成した当選メッセージ又は落選メッセージを記録装置２に通知する。
【００４２】
ステップＳＴ１３において、記録装置２は、ステップＳＴ１２により通知された当選メッセージ又は落選メッセージを受信する。
【００４３】
このように構成された当落判定システム１は、ユーザ側の記録装置２により、記録媒体４に記録されているデータに基づき固有データを生成し、上記固有データとシリアル番号とにより演算データを生成し、上記演算データを記録媒体４に記録し、また、記録装置２とネットワークを介して接続されている当落判定装置３により、上記記録媒体４から演算データを抽選番号として読み出し、上記抽選番号が当選番号と一致するかどうかを判定し、上記判定結果を記録装置２に通知し、判定処理を行った旨の判定済みデータを生成し、上記判定済みデータを上記記録媒体４に記録するので、ユーザは、抽選番号の生成に携わることができ、また、当落判定の時期をユーザが選択することができるので、積極的に抽選に参加することができる。また、当落判定システム１は、データの消去及び書き込みを不可能とする追記録型の記録媒体４を用いることで、以前に抽選に参加した旨のデータを記録することができるので、不正の抽選参加を防止することができる。さらに、当落判定システム１は、抽選のためだけ使用する応募用紙等を用いず、通常の記録再生を行うことができる記録媒体４を使用するので、廃棄処理等の手間がかからない。
【００４４】
【発明の効果】
以上詳細に説明したように、本発明に係る記録装置は、記録媒体に記録されているデータに対して当該記録されているデータの特徴量を表す固有データを生成し、上記固有データとシリアル番号とにより抽選番号となる演算データを生成し、上記演算データを記録媒体に追記録するので、ユーザ自身に、シリアル番号と記録媒体に記録されているデータの特徴量とに応じて演算データを生成して記録媒体に追記録する時期を選択させることができる。よって、本発明に係る記録装置では、抽選番号の作成にユーザが携わることになるので、抽選への参加を積極的にユーザに対して促すことができる。
【００４５】
また、本発明に係る当落判定装置は、記録媒体から演算データを抽選番号として読み出し、上記抽選番号が当選番号と一致するかどうかを判定し、上記判定結果を通知し、また、判定処理を行った旨の判定済みデータを生成し、上記判定済みデータを上記記録媒体に追記録するので、記録媒体を利用して当落判定を行うことができる。また、本発明に係る当落判定装置では、判定済みデータを記録媒体に追記録するので、ユーザが以前に抽選に参加したかを判断でき、不正の抽選参加を防止することができる。
【００４６】
更に、本発明に係る当落判定システムは、ユーザ側の記録装置により、記録媒体に記録されているデータに対して当該記録されているデータの特徴量を表す固有データを生成し、上記固有データとシリアル番号とにより抽選番号となる演算データを生成し、上記演算データを記録媒体に追記録し、また、記録装置とネットワークを介して接続されている当落判定装置により、上記記録媒体から演算データを抽選番号として読み出し、上記抽選番号が当選番号と一致するかどうかを判定し、上記判定結果を記録装置に通知し、判定処理を行った旨の判定済みデータを生成し、上記判定済みデータを上記記録媒体に記録するので、ユーザは、抽選番号の生成に携わることができ、また、当落判定の時期をユーザが選択することができるので、積極的に抽選に参加することができる。また、当落判定システムは、データの消去及び書き込みを不可能とする追記録型の記録媒体を用いることで、以前に抽選に参加した旨のデータを記録することができるので、不正の抽選参加を防止することができる。さらに、当落判定システムは、抽選のためだけ使用する応募用紙等を用いず、通常の記録再生を行うことができる記録媒体を使用するので、廃棄処理等の手間がかからない。
【図面の簡単な説明】
【図１】本発明を適用した当落判定システムの構成例を示すブロック図である。
【図２】本発明を適用した当落判定システムを用いた当落判定動作について示した第１のフローチャートである。
【図３】本発明を適用した当落判定システムを用いた当落判定動作について示した第２のフローチャートである。
【符号の説明】
１  当落判定システム、２  記録装置、３  当落判定装置、４  記録媒体、１０  シリアル番号読出部、１１  固有データ生成部、１２  演算部、１３  演算データ記録部、１４  演算データ読出部、１５  当選番号生成部、１６  判定部、１７  判定結果通知部、１８  判定済みデータ生成部、１９  判定済みデータ記録部
【図１】
0003972716.tif 000002
【図２】
0003972716.tif 000003
【図３】
0003972716.tif 000004